(57)【要約】【課題】光部品収納ケースに対する光ファイバコード等の挿抜作業の際に損失が生じるのを防ぐことができ、しかも低コスト化を実現できる光配線ユニットを提供する。【解決手段】一方の端面１２に、光コネクタが接続される接続部を有する光部品収納ケース１０と、光部品収納ケース１０を収納するラック６０とを備えた光配線ユニット。光部品収納ケース１０は、収納ケース本体１１と、取手部２０と、収納位置Ｐ１でラック６０に係止する第１ラッチ３０と、引出位置でラック６０に係止する第２ラッチ４０とを備えている。【選択図】図１５
2008233535.tif 000002
【特許請求の範囲】
【請求項１】
一方の端面（１２）に、光コネクタが接続される接続部（１３）を有する光部品収納ケース（１０）と、前記光部品収納ケースを収納するラック（６０）と、を備えた光配線ユニットであって、
前記光部品収納ケースは、前記接続部が形成された収納ケース本体（１１）と、
前記収納ケース本体から突出して形成された取手部（２０）と、
前記収納ケース本体が前記ラックに収納された位置で前記ラックに係止する第１ラッチ（３０）と、
前記収納ケース本体が前記収納位置から前記一方側に引き出された位置で前記ラックに係止する第２ラッチ（４０）とを備えていることを特徴とする光配線ユニット。
【請求項２】
前記取手部は、前記ラックに対する第１ラッチの係止を解除可能であることを特徴とする請求項１に記載の光配線ユニット。
【請求項３】
前記取手部は、前記収納ケース本体から突出する取手部本体（２１）と、この取手部本体から他方に延びる取手延出部（２３）とを有し、
前記第１ラッチは、前記一方に延びる第１一方延出部（３２）を備え、この第１一方延出部には、前記収納位置でラックに係止可能な第１一方係止凸部（３４）が形成され、
前記取手延出部を収納ケース本体に向けて弾性変形させて、前記第１一方延出部を収納ケース本体に向けて押圧し弾性変形させることによって、前記ラックに対する前記第１一方係止凸部の係止を解除できることを特徴とする請求項２に記載の光配線ユニット。
【請求項４】
前記ラックが、一方および他方に、それぞれ前記光部品収納ケースを挿入する挿入開口部（６５、６６）を有し、
前記取手部は、前記第１および第２ラッチより低くされ、前記ラック内に挿入したときに前記ラックに係止しないように形成されていることを特徴とする請求項１〜３のうちいずれか１項に記載の光配線ユニット。
【請求項５】
前記光部品収納ケースに、厚さ方向に偏った凹凸部（１８）が形成され、
前記ラックに、前記凹凸部に嵌合可能な凹凸部（７３）が形成されていることを特徴とする請求項１〜４のうちいずれか１項に記載の光配線ユニット。
【発明の詳細な説明】
【技術分野】
【０００１】
本発明は、光配線盤や光配線箱等を構成する光配線ユニットに関し、特に光分岐ユニット等の光部品収納ケースをラック内に収納して構成される光配線ユニットに関する。
【背景技術】
【０００２】
従来、光配線ユニットとしては、光分岐ユニット等からなる光部品収納ケースを、ラック内に挿入して収納するものが提供されている（特許文献１〜３を参照）。
特許文献１に記載の光ファイバ収納ユニットでは、複数の光ファイバ収納トレイを筐体に収納できる。光ファイバ収納トレイは、スライドレールによって引き出し自在に筐体に支持される。光ファイバ収納トレイは、このトレイに取り付けられたクリップがスライドレールに係止することによって、引き出し位置で停止する。
特許文献２に記載の光分配パネルは、複数の光分岐ユニットをパネルケースに収納できる。特許文献３に記載の光分岐ユニットは、配線架に収納できるように構成されている。
【特許文献１】特開２００６−２２７０４１号公報
【特許文献２】特開２０００−２７５４４７号公報
【特許文献３】特開平１１−２３１１４７号公報
【発明の開示】
【発明が解決しようとする課題】
【０００３】
上述した従来技術では、光部品収納ケースに接続される光ファイバコード等が、抜き差しなどの際に、作業者により触られて曲げられてしまうと、伝送されている光信号に損失が生じることがある。
また、スライドレールを用いた場合には、構造が複雑となり、コストがかさむという問題がある。
本発明は、このような事情に鑑みなされたものであって、光部品収納ケースに対する光ファイバコード等の挿抜作業の際に損失が生じるのを防ぐことができ、しかも低コスト化を実現できる光配線ユニットを提供することを目的とする。
【課題を解決するための手段】
【０００４】
本発明の光配線ユニットは、一方の端面に、光コネクタが接続される接続部を有する光部品収納ケースと、前記光部品収納ケースを収納するラックと、を備えた光配線ユニットであって、前記光部品収納ケースは、前記接続部が形成された収納ケース本体と、前記収納ケース本体から突出して形成された取手部と、前記収納ケース本体が前記ラックに収納された位置で前記ラックに係止する第１ラッチと、前記収納ケース本体が前記収納位置から前記一方側に引き出された位置で前記ラックに係止する第２ラッチとを備えていることを特徴とする。
本発明の請求項２にかかる光配線ユニットは、請求項１において、前記取手部が、前記ラックに対する第１ラッチの係止を解除可能であることを特徴とする。
本発明の請求項３にかかる光配線ユニットは、請求項２において、前記取手部が、前記収納ケース本体から突出する取手部本体と、この取手部本体から他方に延びる取手延出部とを有し、前記第１ラッチは、前記一方に延びる第１一方延出部を備え、この第１一方延出部には、前記収納位置でラックに係止可能な第１一方係止凸部が形成され、前記取手延出部を収納ケース本体に向けて弾性変形させて、前記第１一方延出部を収納ケース本体に向けて押圧し弾性変形させることによって、前記ラックに対する前記第１一方係止凸部の係止を解除できることを特徴とする。
本発明の請求項４にかかる光配線ユニットは、請求項１〜３のうちいずれか１項において、前記ラックが、一方および他方に、それぞれ前記光部品収納ケースを挿入する挿入開口部を有し、前記取手部が、前記第１および第２ラッチより低くされ、前記ラック内に挿入したときに前記ラックに係止しないように形成されていることを特徴とする。
本発明の請求項５にかかる光配線ユニットは、請求項１〜４のうちいずれか１項において、前記光部品収納ケースに、厚さ方向に偏った凹凸部が形成され、前記ラックに、前記凹凸部に嵌合可能な凹凸部が形成されていることを特徴とする。
【発明の効果】
【０００５】
本発明の光配線ユニットによれば、光部品収納ケースが、収納位置でラックに係止する第１ラッチと、引出位置でラックに係止する第２ラッチとを備えているので、必要な光部品収納ケースのみを引き出して、光ファイバコード等の挿抜作業を行うことができる。
このため、他の光部品収納ケースに接続されている光ファイバコード等に影響を与えることがなく、光信号に損失が生じることはない。
また、第１および第２ラッチがラックに係止するように構成されているので、構造が単純であることから、低コスト化を図ることができる。
【発明を実施するための最良の形態】
【０００６】
以下、本発明に係る光配線ユニットの一例について、図面を参照しながら説明する。
図１は、この光配線ユニットに用いられる光部品収納ケース１０を示す図であり、（ａ）は後面図、（ｂ）は正面図、（ｃ）は前面図である。図２は、光部品収納ケース１０の要部を拡大して示す正面図である。図３は、第１ラッチ３０を拡大して示す正面図である。図４は、第２ラッチ４０を拡大して示す正面図である。図５は、光部品収納ケース１０の全体斜視図である。図６は、光部品収納ケース１０の内部構成の例を示す説明図である。図７は、光部品収納ケース１０がラック６０に収納されている状態を示す斜視図である。図８は、ラック６０の前板６１を示す正面図である。図９および図１０は、前板６１の要部を示す拡大図である。図１１は、ラック６０の後板６２を示す正面図である。
【０００７】
図７に示すように、この光配線ユニットは、光部品収納ケース１０と、光部品収納ケース１０を収納するラック６０と、これらを収納するパネルケース８０とを備えている。
図１および図２に示すように、光部品収納ケース１０は、収納ケース本体１１と、収納ケース本体１１の前方に突出して形成された取手部２０と、取手部２０の後方に形成された第１ラッチ３０と、第１ラッチ３０の後方に形成された第２ラッチ４０と、第２ラッチ４０の後方に形成された押圧部５０とを有する。
以下、図２における右方を前方といい、左方を後方ということがある。
【０００８】
収納ケース本体１１は、略矩形の板状のケース状に形成され、一方の端面である前端面１２に、光コネクタが接続される第１の接続部１３が形成され、他方の端面である後端面１４に、光コネクタが接続される第２の接続部１５が形成されている。
第１の接続部１３は出力コネクタであり、ＬＣコネクタ、ＳＣコネクタ、ＭＵコネクタなどの単心光コネクタが接続可能な光コネクタアダプタ（以下、単にアダプタという）を例示できる。
第２の接続部１５は入力コネクタであり、ＬＣコネクタ、ＳＣコネクタ、ＭＵコネクタなどの単心光コネクタが接続可能なアダプタを例示できる。
【０００９】
図２に示すように、取手部２０は、光部品収納ケース１０の挿入および引出操作をする際に作業者が把持するものであって、収納ケース本体１１の前端面１２の上端部から前方に突出する取手部本体２１と、取手部本体２１の前部から上方に突出する基部２２と、基部２２の上端部から後方に延びる取手延出部２３とを有する。
取手延出部２３は、上下に弾性的に曲げ変形可能な板状に形成され、収納ケース本体１１の上端面１６からほぼ一定の距離を隔てて後方に延びている。
取手部２０の高さは、後述するように、第１および第２ラッチ３０、４０より低くされており、ラック６０に挿入したときにラック６０に係止しない。
【００１０】
図２および図３に示すように、第１ラッチ３０は、収納ケース本体１１の上端面１６から上方に突出する基部３１と、基部３１の上部から前方に延びる第１前方延出部３２（第１一方延出部）と、基部３１の上部から後方に延びる第１後方延出部３３（第１他方延出部）とを有する。
前方および後方延出部３２、３３は、上下に弾性的に曲げ変形可能な板状とされ、上端面１６にほぼ平行に形成されている。
【００１１】
第１前方延出部３２の先端には、上方に突出する第１前方係止凸部３４（第１一方係止凸部）が形成されている。
第１前方係止凸部３４は、前面３４ａが上端面１６に対しほぼ垂直とされ、後面３４ｂが後方に向かって徐々に下降する傾斜面となっている。第１前方係止凸部３４は、第１前方延出部３２の上面よりも上方に突出して形成されている。第１前方係止凸部３４は、第１前方延出部３２の曲げ変形によって、前板６１に係脱可能に係止できる。
延出部３２、３３は、取手部２０の取手延出部２３とほぼ同じ高さとなっているため、第１ラッチ３０は、第１前方係止凸部３４の分だけ取手部２０より高く形成されていることになる。
第１前方延出部３２の先端には、前方に延びる当接片３５が形成されている。当接片３５は、取手延出部２３の先端部の下方位置に達している。
【００１２】
第１後方延出部３３の先端には、上方に突出する第１後方係止凸部３６（第１他方係止凸部）が形成されている。
第１後方係止凸部３６は、前面３６ａが後方に向かって徐々に上昇する傾斜面となっており、後面３６ｂは上端面１６にほぼ垂直とされている。第１後方係止凸部３６は、第１後方延出部３３の曲げ変形によって、前板６１に係脱可能である。
【００１３】
図２および図４に示すように、第２ラッチ４０は、収納ケース本体１１の上端面１６から上方に突出する基部４１と、基部４１の上部から前方に延びる第２前方延出部４２（第２一方延出部）と、基部４１の上部から後方に延びる第２後方延出部４３（第２他方延出部）とを有する。
前方および後方延出部４２、４３は、上下に弾性的に曲げ変形可能な板状とされ、上端面１６にほぼ平行に形成されている。
【００１４】
第２前方延出部４２の先端には、上方に突出する第２前方係止凸部４４（第２一方係止凸部）が形成されている。
第２前方係止凸部４４は、前面４４ａが上端面１６に対しほぼ垂直とされ、後面４４ｂが後方に向かって徐々に下降する傾斜面となっている。第２前方係止凸部４４は、第２前方延出部４２の上面よりも上方に突出して形成されている。第２前方係止凸部４４は、第２前方延出部４２の曲げ変形によって、後板６２に係脱可能に係止できる。
延出部４２、４３は、取手部２０の取手延出部２３とほぼ同じ高さとなっているため、第２ラッチ４０は、第２前方係止凸部４４の分だけ取手部２０より高く形成されていることになる。
第２前方延出部４２の先端には、前方に延びる当接片４５が形成されている。当接片４５は、第１後方延出部３３の先端部の下方位置に達している。
【００１５】
第２後方延出部４３の先端には、上方に突出する第２後方係止凸部４６（第２他方係止凸部）が形成されている。
第２後方係止凸部４６は、前面４６ａが後方に向かって徐々に上昇する傾斜面となっており、後面４６ｂは上端面１６に対しほぼ垂直とされている。
第２後方延出部４６の先端には、後方に延びる当接片４７が形成されている。
【００１６】
図２に示すように、押圧部５０は、上端面１６の後部から上方に突出する基部５１と、基部５１の上端部から前方に延びる押圧延出部５２とを有する。
押圧延出部５２は、上下に弾性的に曲げ変形可能な板状に形成され、上端面１６にほぼ平行に形成されている。押圧延出部５２の先端部は、当接片４７の上方位置に達している。
【００１７】
図５に示すように、収納ケース本体１１の下端には、断面矩形の突条である突出部１７が前後方向にわたって形成され、突出部１７の下面には、断面矩形の突条であるキー凸部１８が前後方向にわたって形成されている。キー凸部１８は、突出部１７の厚さ方向中央部ではなく、厚さ方向の一方側に偏った位置に形成されている。
【００１８】
収納ケース本体１１は、プラスチックで形成できるため、コストの点で有利である。
【００１９】
図６は、収納ケース本体１１の内部構造の例を示すもので、この例では、第１の接続部１３と第２の接続部１５は、光カプラ９１、９２を介して光接続されている。
【００２０】
図７に示すように、ラック６０は、挿入開口部６５を有する矩形枠状の前板６１と、挿入開口部６６を有する矩形枠状の後板６２と、上板部６３と、下板部６４とを有する。
図８および図９に示すように、前板６１の上部フレーム６１ａには、光部品収納ケース１０の上端部に対応する形状の上部嵌合凹部７０が形成されている。
【００２１】
図８および図１０に示すように、下部フレーム６１ｂには、光部品収納ケース１０の下端部に対応する形状の下部嵌合凹部７１が形成されている。
下部嵌合凹部７１は、突出部１７の断面形状に沿う矩形状の基凹部７２と、基凹部７２の底縁部７２ａに形成されたキー凹部７３とからなる。
キー凹部７３は、キー凸部１８の断面形状に沿う矩形状に形成され、キー凸部１８が嵌合するようになっている。
キー凹部７３は、キー凸部１８に対応した形状であるため、底縁部７２ａの中央部ではなく、光部品収納ケース１０の厚さ方向に偏った位置に形成されている。
このため、光部品収納ケース１０は、前端面１２を前方に向けた状態でのみラック６０に挿入できる。
なお、図示例では、光部品収納ケース１０にキー凸部１８が形成され、ラック６０に、これに嵌合するキー凹部７３が形成された構成としたが、逆に、光部品収納ケースにキー凹部が形成され、ラックに、キー凹部に嵌合可能なキー凸部が形成されていてもよい。
【００２２】
図１１に示すように、後板６２の上部フレーム６２ａにも、前板６１と同様に、上部嵌合凹部７０が形成されている。
下部フレーム６２ｂには、光部品収納ケース１０の下端部に対応する形状の下部嵌合凹部７４が形成されている。下部嵌合凹部７４は、前板６１の下部嵌合凹部７１とは左右が逆となる形状を有する。
【００２３】
図７に示すように、上板部６３は、前板６１の上部フレーム６１ａと、後板６２の上部フレーム６２ａとの間に設けられている。上板部６３には、前後方向に沿って、光部品収納ケース１０の上端部が挿入可能な複数の案内スリット６８が形成されている。
案内スリット６８の幅は上部嵌合凹部７０の幅とほぼ同じとされ、上部嵌合凹部７０に即した位置に形成されている。
下板部６４は、前板６１の下部フレーム６１ｂと、後板６２の下部フレーム６２ｂとの間に設けられている。下板部６４には、前後方向に沿って、光部品収納ケース１０の下端部が挿入可能な複数の案内スリット６９が形成されている。
案内スリット６９の幅は下部嵌合凹部７１、７４の幅とほぼ同じとされ、下部嵌合凹部７１、７４に即した位置に形成されている。
【００２４】
次に、光配線ユニットが奏する作用を説明する。
図１２に示すように、光部品収納ケース１０は、前端面１２を前に向けた状態で、前側の挿入開口部６５からラック６０内に挿入できる。
図１３に示すように、光部品収納ケース１０は、案内スリット６８、６９に沿ってラック６０内に挿入され、収納位置Ｐ１に至る。
図１５に示すように、この収納位置Ｐ１では、第１ラッチ３０の第１前方係止凸部３４が前板６１に係止している。
【００２５】
作業者が取手部２０の取手部本体２１と取手延出部２３をつまみ、取手延出部２３を下方に弾性的に曲げ変形させると、取手延出部２３の先端部が第１前方延出部３２の当接片３５を下方に押圧し、第１前方延出部３２を下方に弾性的に曲げ変形させる。
これによって、第１前方係止凸部３４が下方移動し、前板６１に対する係止が解除され、光部品収納ケース１０が前方に移動可能となる。
【００２６】
図１４および図１６に示すように、作業者が取手部２０を前方に引っ張ると、光部品収納ケース１０は前方に移動し、第２ラッチ４０の第２前方係止凸部４４が前板６１に係止する。この位置を引出位置Ｐ２という。
作業者は、この引出位置Ｐ２において第１の接続部１３に対する光ファイバコード等の挿抜作業を行うことができる。このため、収納位置Ｐ１にある他の光部品収納ケース１０に接続されている光ファイバコード等に影響が及ぶことがない。
図１４に示すように、引出位置Ｐ２の光部品収納ケース１０は、作業終了後は、後方に移動させ、収納位置Ｐ１に戻すことができる。光部品収納ケース１０を後方移動させる際には、第１後方延出部３３を下方に曲げ変形させて第１後方係止凸部３６が前板６１に引っ掛からないようにするのが好ましい。
【００２７】
図１７に示すように、光部品収納ケース１０は、前端面１２を前に向けた状態で、後側の挿入開口部６６からラック６０内に挿入することもできる。
上述のように、取手部２０は、第１および第２ラッチ３０、４０より低く形成されているため、ラック６０に挿入しても前板６１および後板６２に係止しない。
【００２８】
図１８に示すように、光部品収納ケース１０は、前端面１２を後ろに向けた状態で、前側の挿入開口部６５からラック６０内に挿入することもできる。
図１９に示すように、同じ姿勢で、後側の挿入開口部６６からラック６０内に挿入することもできる。
図２０に示すように、収納位置Ｐ１に配置した光部品収納ケース１０は、前端面１２を後ろに向けた状態で、収納位置Ｐ１から後方に引き出すことができる。
このように、光部品収納ケース１０は、ラック６０に対する挿入方向は限定されない。
【００２９】
光配線ユニットでは、光部品収納ケース１０が、収納位置Ｐ１でラック６０に係止する第１ラッチ３０と、引出位置Ｐ２でラック６０に係止する第２ラッチ４０とを備えているので、必要な光部品収納ケース１０のみを引き出して、光ファイバコード等の挿抜作業を行うことができる。
このため、他の光部品収納ケース１０に接続されている光ファイバコード等に影響を与えることがなく、光信号に損失が生じることはない。
また、第１および第２ラッチ３０、４０がラック６０に係止するように構成されているので、構造が単純であることから、低コスト化を図ることができる。
【００３０】
また、光部品収納ケース１０では、取手部２０によって第１前方延出部３２を下方に弾性変形させて第１ラッチ３０の係止を解除できるようになっているので、係止解除操作が容易である。
【００３１】
さらに、取手部２０が第１および第２ラッチ３０、４０より低くされているので、図１７に示すように、前端面１２を前に向けた状態で、後側の挿入開口部６６からラック６０内に挿入することができる。
このように、光部品収納ケース１０のラック６０に対する挿入方向が限定されないため、適用範囲を広くすることができる。例えば、前面側および後面側のうち一方からでは作業できない場合でも、他方からの作業が可能となる。
また、光部品収納ケース１０を撤去する場合に、前側の第１の接続部１３に接続された光ファイバコード等に触れることなく、後側の挿入開口部６６から撤去できる。このため、他の光部品収納ケース１０に影響を与えることがなく、損失が生じることはない。
【００３２】
図示例の光部品収納ケース１０では、ラック６０に対する挿入および引出操作の際に、必要に応じて、押圧延出部５２を下方に弾性的に曲げ変形させて当接片４７を下方に押圧し、第２後方係止凸部４６を下降させて、これがラック６０に係止しないようにすることができる。
また、第１後方延出部３３を下方に弾性的に曲げ変形させて当接片４５を下方に押圧し、第２前方係止凸部４４を下降させて、これがラック６０に係止しないようにすることができる。
【００３３】
図２１および図２２は、光部品収納ケースの他の例を示すもので、ここに示す光部品収納ケース１００は、収納ケース本体１０１と、取手部２０と、第１ラッチ３０と、第２ラッチ４０と、押圧部５０とを有する。
収納ケース本体１０１は、本体部１０２と、本体部１０２の後端に取り付けられた余長収納部１０３とからなる。
本体部１０２の前端面１２には、接続部１３が設けられている。
余長収納部１０３は、余長１０４と、融着接続部１０５とを収納できる。
【００３４】
図２３および図２４は、光部品収納ケースの他の例を示すもので、ここに示す光部品収納ケース１１０は、収納ケース本体１１１と、取手部２０と、第１ラッチ３０と、第２ラッチ４０と、押圧部５０とを有する。
収納ケース本体１１１の前端面１２には第１の接続部１３が設けられている。
後端面１４には第２の接続部１５が設けられている。第２の接続部１５としては、多心アダプタ、例えばＭＴアダプタを挙げることができる。
【００３５】
図２５および図２６は、光部品収納ケースの他の例を示すもので、ここに示す光部品収納ケース１２０は、収納ケース本体１２１と、取手部２０と、第１ラッチ３０と、第２ラッチ４０と、押圧部５０とを有する。
収納ケース本体１２１の前端面１２には、第１〜第３接続部１２２〜１２４が設けられている。
光部品収納ケース１２０は、各接続部１２２〜１２４が光カプラを構成するように接続されている。
【００３６】
なお、本発明における光部品収納ケースは、図示例に限らず、光スプリッタや、光フィルタ等として構成されるものであってもよい。
【図面の簡単な説明】
【００３７】
【図１】本発明に係る光配線ユニットの一例に用いられる光部品収納ケースを示す図であり、（ａ）は後面図、（ｂ）は正面図、（ｃ）は前面図である。
【図２】図１に示す光部品収納ケースの要部を拡大して示す正面図である。
【図３】図１に示す光部品収納ケースの第１ラッチを拡大して示す正面図である。
【図４】図１に示す光部品収納ケースの第２ラッチを拡大して示す正面図である。
【図５】図１に示す光部品収納ケースの全体斜視図である。
【図６】図１に示す光部品収納ケースの内部構成の例を示す説明図である。
【図７】図１に示す光部品収納ケースがラックに収納されている状態を示す斜視図である。
【図８】図７に示すラックの前板を示す正面図である。
【図９】図８に示す前板の要部を示す拡大図である。
【図１０】図８に示す前板の要部を示す拡大図である。
【図１１】図７に示すラックの後板を示す正面図である。
【図１２】図１に示す光部品収納ケースをラックに収納する操作を示す説明図である。
【図１３】図１に示す光部品収納ケースをラックに収納した状態を示す説明図である。
【図１４】図１に示す光部品収納ケースをラックから引き出した状態を示す説明図である。
【図１５】図１に示す光部品収納ケースをラックに収納した状態を示す説明図である。
【図１６】図１に示す光部品収納ケースをラックから引き出した状態を示す説明図である。
【図１７】図１に示す光部品収納ケースをラックに収納する操作を示す説明図である。
【図１８】図１に示す光部品収納ケースをラックに収納する操作を示す説明図である。
【図１９】図１に示す光部品収納ケースをラックに収納する操作を示す説明図である。
【図２０】図１に示す光部品収納ケースをラックから引き出した状態を示す説明図である。
【図２１】本発明の光配線ユニットの一例に用いられる光部品収納ケースの他の例を示す正面図である。
【図２２】図２１に示す光部品収納ケースの内部構成の例を示す説明図である。
【図２３】本発明の光配線ユニットの一例に用いられる光部品収納ケースの他の例を示す正面図である。
【図２４】図２３に示す光部品収納ケースの内部構成の例を示す説明図である。
【図２５】本発明の光配線ユニットの一例に用いられる光部品収納ケースの他の例を示す正面図である。
【図２６】図２５に示す光部品収納ケースの内部構成の例を示す説明図である。
【符号の説明】
【００３８】
１０、１００、１１０、１２０…光部品収納ケース、１１、１０１、１１１、１２１…収納ケース本体、１２…前端面、１３…第１の接続部、１８…キー凸部（凹凸部）、２０…取手部、２１…取手部本体、２３…取手延出部、３０…第１ラッチ、３２…第１前方延出部（第１一方延出部）、３４…第１前方係止凸部（第１一方係止凸部）、４０…第２ラッチ、６０…ラック、６５、６６…挿入開口部、７３…キー凹部（凹凸部）。
【図１】
2008233535.tif 000003
【図２】
2008233535.tif 000004
【図３】
2008233535.tif 000005
【図４】
2008233535.tif 000006
【図５】
2008233535.tif 000007
【図６】
2008233535.tif 000008
【図７】
2008233535.tif 000009
【図８】
2008233535.tif 000010
【図９】
2008233535.tif 000011
【図１０】
2008233535.tif 000012
【図１１】
2008233535.tif 000013
【図１２】
2008233535.tif 000014
【図１３】
2008233535.tif 000015
【図１４】
2008233535.tif 000016
【図１５】
2008233535.tif 000017
【図１６】
2008233535.tif 000018
【図１７】
2008233535.tif 000019
【図１８】
2008233535.tif 000020
【図１９】
2008233535.tif 000021
【図２０】
2008233535.tif 000022
【図２１】
2008233535.tif 000023
【図２２】
2008233535.tif 000024
【図２３】
2008233535.tif 000025
【図２４】
2008233535.tif 000026
【図２５】
2008233535.tif 000027
【図２６】
2008233535.tif 000028